(57)【要約】【課題】本体側に設置する送信用赤外素子は、リモコンへの確実な信号受信を行うため、３方向以上へ赤外光を送信する必要があり、３個以上の赤外送信素子を異なる角度で設けなければならず、部品コスト・スペースが増大する。【解決手段】運転情報を送信する送信部と、信号を受信し変換する受光部を有するリモコンと、空気調和機本体の運転情報を信号に変換して前記リモコンに送信する少なくとも１個の送信用赤外素子を有する送信部と、前記リモコンからの信号を受信し変換する受光部と、三角形断面の凹凸を複数羅列し構成した屈折部を室内機の送信素子前面に構成。【選択図】　図２
2004125283.tif 000002
【特許請求の範囲】
【請求項１】
ディジタルの運転情報を赤外光信号に変換して送信する赤外送信部と、赤外光信号を受信しディジタル信号に変換する赤外受光部を有する赤外ワイヤレスリモコン（以下リモコン）と、空気調和機本体の運転情報をディジタル信号から赤外光信号に変換して前記リモコンに送信する少なくとも１個の送信用赤外素子を有する赤外送信部と、前記リモコンからの赤外光信号を受信し、ディジタル信号に変換する赤外受光部と、少なくとも１本の直線状の三角形の断面を持つ凹凸を羅列して構成した赤外屈折部を室内機の赤外送信素子前面に構成し、リモコンと室内機間双方向通信することを特徴とした空気調和機。
【発明の詳細な説明】
【０００１】
【発明の属する技術分野】
本発明は、赤外光による双方向通信を行う空気調和機に関するものである。
【０００２】
【従来の技術】
従来、赤外光による送受信装置には、赤外光を受信する受光装置全面に赤外光の入射角度を広げるためのレンズなどを配置し、受光性能を向上するものがあった。また、双方向通信システムとしては、運転情報を赤外光信号に変換して送信する赤外送信部と赤外光信号を受信しディジタル信号に変換する赤外受光部を有するリモコンと、空気調和機本体の運転情報をディジタル信号から赤外光信号に変換して前記リモコンに送信する送信用赤外素子を複数個有する赤外送信部と前記リモコンからの赤外光信号を受信しディジタル信号に変換する赤外受光部により、リモコンと本体間で双方向通信を行っていた（例えば特許文献１参照）。
【０００３】
【特許文献１】
実開平０５−２８１９３号公報
【０００４】
【発明が解決しようとする課題】
しかしながら特許文献１記載の構成では、不確定位置からの赤外光を受光装置の赤外検出部分に集約する必要があり、また屈折装置の入射時の屈折と受光装置への射出時の屈折が複雑になり赤外光の集約が困難である。
【０００５】
また、本体からの赤外信号はリモコンからの要求により送信され、リモコンからの送信要求は人がリモコンを操作し、赤外信号を送信することによりなされる。したがって、空気調和機本体からの赤外信号送信はリモコンからの要求後、いくらかの時間が経過しているため、リモコンに設置された赤外受光部の赤外光入射部分が本体に設置された赤外送信素子の光軸上にあるとは限らない（リモコン使用者が双方向通信要求後に本体から向きを変更する可能性がある）。
【０００６】
本体側に設置する送信用赤外素子がリモコンへの確実な信号受信を行うには、複数の方向へ赤外光を送信する必要があり、複数個の赤外送信素子を異なる角度で設置しなければならないという課題があった。
【０００７】
このことは部品コストの増加だけでなく複数の赤外素子を本体に設置するためのスペース確保が必要となり、空気調和機の構造的規制やデザイン性の規制にもつながっていた。
【０００８】
【発明の実施の形態】
以下に、本発明の実施の形態について図面を参照しながら説明する。
【０００９】
（実施の形態１）
図３、図４は空気調和機室内機の従来の双方向通信構造図である。同図に於いて、赤外利用のリモコン１には送信用赤外素子２、赤外光受信部３を備え、空気調和機の室内機４にはリモコン１から送信された赤外信号を受信してディジタル信号に変換する赤外受信部５およびリモコン１からの要求により空気調和機室内機本体４よりリモコン１に向け赤外信号を送信する双方向送信用赤外素子６、６（ａ）、６（ｂ）、６（ｃ）を備えている。
【００１０】
リモコン１からの赤外送信はリモコン１を室内機４に向けて操作することを推奨している。このため、基本的にリモコン１の送信用赤外素子２と室内機４の赤外受信部５はほぼ光軸が一致するためリモコンからの信号は確実に受信することが可能である。
【００１１】
しかしながら室内機４からの本体運転情報送信は、リモコン１からの送信要求がトリガーとなり、少なくともリモコン１からの赤外信号送信後であるため室内機４からリモコン１へ赤外送信の瞬間はリモコン１は空気調和機室内機４の双方向通信のための送信用赤外素子６と赤外信号受信部の光軸が同一ではない可能性がある。
【００１２】
このとき光軸のズレにより室内機からの赤外信号を正確にリモコン１が受信できないことになる。従来技術では前記課題を解決するため複数個の送信用赤外素子をそれぞれ異なる方向へ光軸を向け配置することにより送信された赤外光が部屋の壁や天井への反射を繰り返しながら受信部３に到達させ双方向送受信性能を確保していた。
【００１３】
また、従来例では室内機より直角方向に１個、光軸が左右３０度方向になるように各１個ずつ計３個の送信用赤外素子を配置し、前記性能を確保している。
図２は本発明の第１の実施例における空気調和機で室内機に設置した送信用赤外素子の配置図で７（ａ）、７（ｂ）は送信用赤外素子、８は赤外素子７（ａ）、７（ｂ）の前面に配置された屈折部である。
【００１４】
屈折部の内側には赤外素子７（ａ）、７（ｂ）の配置列に平行に凹凸加工が施されている。赤外素子７（ａ）、７（ｂ）は図２（ｂ）のようにそれぞれプリント基板９表面の垂直方向に対し光軸を３０°の角度で左右方向となる様に設置され、屈折部の凹凸形状は三角形の、のこぎり状で、その斜面の母線は、赤外素子を取り付けているプリント基板９表面の水平方向に対し２０°の角度を有している。
【００１５】
ここで、図１を用いて、屈折について説明する。赤外素子７の光軸がプリント基板面の垂直方向に対し角度αとなる様に設置され、屈折率ｎの透過媒体１０を赤外素子の正面でプリント基板表面に対し平行に設置した場合、赤外光は屈折角α／ｎすなわちα−α／ｎの方向転角をおこす。
次に透過媒体をプリント基板９の垂直方向に対し角度βの傾きを与えた場合同様に（α＋β）／ｎの屈折角すなわち（α＋β）−（α＋β）／ｎの方向転角となる。
【００１６】
このとき、βは赤外入射方向に角度を持つため方向転角の方向は赤外光を光軸に対し外へ広がる方向すなわち指向性を広げることとなる。
【００１７】
以上の実施の形態では、屈折部の透過率ｎ＝１．４５の透明樹脂を選定しており、上記の設置構造によると約１５．５°の方向転角となる。
【００１８】
従って光軸の中心はプリント基板面の垂直から約１４．５°、つまり赤外光のピークは垂直方向から１４．５°傾いた角度に転角される。
【００１９】
また、上記は入射角がβ＋γと増えた場合つまり赤外素子の光軸から角度γで出力された赤外光はγ＝βの場合プリント基板面に垂直となる。
【００２０】
すなわち光軸に対し２０°で８０〜９０％の減衰特性を有する指向性の赤外素子を選定することにより実施例条件では光軸を垂直方向とした赤外素子を増加したと同様の効果を得ることができる。
【００２１】
さらに赤外素子の指向特性を十分利用するには赤外素子と屈折部に一定の空間距離を要するが、三角の凹凸形状を平行に複数設置することにより、屈折部と赤外素子の空間距離にかかわらず同様の効果を得ることができる。
【００２２】
また、指向特性の広い赤外素子を選定し、三角凹凸の角度を鋭角にすることにより、垂直方向の赤外素子一個のみで同等の性能を実現することも可能である。このことは、従来に対し少ない赤外素子で同様の赤外送信エネルギーを得られるつまり少ないコストで且つ少ない体積で双方向通信を実現できることになる。
【００２３】
【発明の効果】
以上のように、本発明の構成によれば、少ない送信用赤外素子でも確実な双方向通信を実現することができ、素子数増加によるコスト増や物理的な空間規制によるデザイン性の欠如を少なくすることができる。
【図面の簡単な説明】
【図１】本発明の屈折の原理説明図
【図２】（ａ）本発明の赤外素子構成図
（ｂ）本発明の屈折説明図
【図３】赤外による双方向通信概念図
【図４】従来の赤外素子構成図
【符号の説明】
１　赤外ワイヤレスリモコン
２　リモコンの赤外送信部
３　リモコンの赤外受信部
４　室内機
５　室内機の赤外受信部
６、６（ａ）、（ｂ）、（ｃ）　赤外光素子
７、７（ａ）、（ｂ）　赤外光素子
８　屈折部
９　プリント基板
【図１】
2004125283.tif 000003
【図２】
2004125283.tif 000004
【図３】
2004125283.tif 000005
【図４】
2004125283.tif 000006